(57)【要約】      （修正有）【課題】操作性を向上することができる超音波診断装置、画像処理装置及び画像処理プログラムを提供する。【解決手段】超音波診断装置は、制御部を備える。制御部は、トリガーの入力を受け付けた場合に、出力対象の画像を出力部に実寸で出力させる。【選択図】図１
2019062996.tif 000002
【特許請求の範囲】
【請求項１】
トリガーの入力を受け付けた場合に、出力対象の画像を出力部に実寸で出力させる制御部を備えた、超音波診断装置。
【請求項２】
前記制御部は、前記トリガーに応じて、前記出力部の出力サイズから前記出力対象の画像を実寸で出力する際のピクセル数を算出し、前記出力対象の画像を算出したピクセル数で前記出力部に出力させる、請求項１に記載の超音波診断装置。
【請求項３】
前記出力部の種別と前記出力サイズとを対応付けた対応情報を記憶する記憶部を更に備え、
前記制御部は、前記対応情報を参照して、前記出力対象の画像を前記出力部に実寸で出力する際のピクセル数を算出する、請求項２に記載の超音波診断装置。
【請求項４】
前記制御部は、前記出力対象の画像を前記出力部に実寸で出力中であることを示す情報を更に出力する、請求項１〜３のいずれか１つに記載の超音波診断装置。
【請求項５】
前記トリガーとなる操作の種別を記憶する記憶部を更に備え、
前記制御部は、前記種別の操作の入力を受け付けた場合に、前記出力対象の画像を前記出力部に実寸で出力させる、請求項１に記載の超音波診断装置。
【請求項６】
前記出力部は、モニタであり、
前記制御部は、少なくとも、超音波走査時のモード切り替え指示、過去画像の表示の受け付け、及び、前記モニタに表示中の前記出力対象の画像における関心領域の設定のいずれか１つを前記トリガーとし、前記出力対象の画像を前記モニタに実寸で表示させる、請求項１に記載の超音波診断装置。
【請求項７】
前記制御部は、前記超音波走査時のモード切り替え指示を前記トリガーとする場合、少なくとも、穿刺針を装着可能な超音波プローブの接続、穿刺用アプリケーションの選択、計測用アプリケーションの選択、前記出力対象の画像を拡大又は縮小して表示する指示の受け付け、及び、前記超音波走査時に操作者によって参照される参照画像を表示する指示のいずれか１つを前記トリガーとし、超音波走査により生成される超音波画像を実寸で前記モニタに表示させる、請求項６に記載の超音波診断装置。
【請求項８】
前記制御部は、前記超音波走査時に操作者によって参照される参照画像を表示する指示を前記トリガーとする場合、少なくとも、教材画像を前記参照画像として表示する指示、及び、他の医用画像診断装置により生成された画像を前記参照画像として表示する指示のいずれか１つを前記トリガーとする、請求項７に記載の超音波診断装置。
【請求項９】
前記他の医用画像診断装置により生成された画像は３次元画像であり、
前記制御部は、超音波走査により生成された画像と前記３次元画像とを位置合わせして実寸で表示する、請求項８に記載の超音波診断装置。
【請求項１０】
前記制御部は、前記過去画像の表示の受け付けを前記トリガーとする場合、少なくとも、術前シミュレーション時における前記過去画像を表示する指示、及び、前記過去画像として週令の異なる胎児の画像データを表示する指示のいずれか１つを前記トリガーとする、請求項６に記載の超音波診断装置。
【請求項１１】
前記出力部は、超音波診断装置に接続される外部装置の出力部であり、
前記制御部は、前記超音波診断装置への前記外部装置の出力部の接続を前記トリガーとする、請求項１に記載の超音波診断装置。
【請求項１２】
前記外部装置の出力部は、前記超音波診断装置に接続されるモニタであり、
前記制御部は、前記超音波診断装置が前記モニタに接続された場合に、前記出力対象の画像を前記モニタに実寸で表示させる、請求項１１に記載の超音波診断装置。
【請求項１３】
前記制御部は、更に、前記超音波診断装置が有するモニタに前記出力対象の画像を実寸で表示させる、請求項１２に記載の超音波診断装置。
【請求項１４】
前記外部装置の出力部は、前記超音波診断装置に接続されるプリンタであり、
前記制御部は、前記プリンタへの印刷の指示を受け付けた場合に、前記出力対象の画像を前記プリンタに実寸で印刷させる、請求項１１に記載の超音波診断装置。
【請求項１５】
出力対象の画像を出力部に実寸で出力中にトリガーの入力を受け付けた場合、実寸から前記トリガーに応じた寸法に変更して、前記出力対象の画像を前記出力部に出力させる制御部を備えた、超音波診断装置。
【請求項１６】
トリガーの入力を受け付けた場合に、出力対象の画像を出力部に実寸で出力させる制御部を備えた、画像処理装置。
【請求項１７】
トリガーの入力を受け付けた場合に、出力対象の画像を出力部に実寸で出力させる処理をコンピュータに実行させる、画像処理プログラム。
【発明の詳細な説明】
【技術分野】
【０００１】
本発明の実施形態は、超音波診断装置、画像処理装置及び画像処理プログラムに関する。
【背景技術】
【０００２】
従来、超音波診断装置は、画像を表示する際には、深度やズーム率に合わせて画像を表示する。例えば、超音波診断装置は、深度の変更を受け付けた場合には、画像表示領域の縦幅いっぱいに深度が収まるように画像を表示する。また、超音波診断装置は、ズーム率の変更を受け付けた場合には、ズームした領域が画像表示領域に収まるように画像を拡大して表示する。
【先行技術文献】
【特許文献】
【０００３】
【特許文献１】特開２０１５−００６３２７号公報
【発明の概要】
【発明が解決しようとする課題】
【０００４】
本発明が解決しようとする課題は、操作性を向上することができる超音波診断装置、画像処理装置及び画像処理プログラムを提供することである。
【課題を解決するための手段】
【０００５】
実施形態の超音波診断装置は、制御部を備える。制御部は、トリガーの入力を受け付けた場合に、出力対象の画像を出力部に実寸で出力させる。
【図面の簡単な説明】
【０００６】
【図１】図１は、第１の実施形態に係る超音波診断装置の構成例を示すブロック図である。
【図２】図２は、第１の実施形態に係る対応情報ＤＢが記憶する情報の一例を示す図である。
【図３】図３は、第１の実施形態に係るトリガー種別ＤＢが記憶する情報の一例を示す図である。
【図４】図４は、第１の実施形態に係る制御機能による画像処理の手順を示すフローチャートである。
【図５】図５は、第１の実施形態を説明するための図である。
【図６】図６は、第１の実施形態を説明するための図である。
【図７】図７は、第１の実施形態を説明するための図である。
【図８】図８は、第１の実施形態を説明するための図である。
【図９】図９は、第１の実施形態の第１の変形例に係る制御機能による画像処理の手順を示すフローチャートである。
【図１０】図１０は、第１の実施形態の第１の変形例を説明するための図である。
【図１１】図１１は、第１の実施形態の第２の変形例に係る超音波診断装置の構成例を示すブロック図である。
【図１２】図１２は、第１の実施形態の第２の変形例に係る制御機能による画像処理の手順を示すフローチャートである。
【図１３】図１３は、第１の実施形態の第２の変形例を説明するための図である。
【図１４】図１４は、第２の実施形態に係る制御機能による画像処理の手順を示すフローチャートである。
【図１５】図１５は、第２の実施形態を説明するための図である。
【図１６】図１６は、第２の実施形態の変形例を説明するための図である。
【図１７】図１７は、第３の実施形態に係る制御機能による画像処理の手順を示すフローチャートである。
【図１８】図１８は、第３の実施形態を説明するための図である。
【図１９】図１９は、第３の実施形態を説明するための図である。
【図２０】図２０は、第４の実施形態に係る制御機能による画像処理の手順を示すフローチャートである。
【発明を実施するための形態】
【０００７】
以下、図面を参照して、実施形態に係る超音波診断装置、画像処理装置及び画像処理プログラムを説明する。
【０００８】
（第１の実施形態）
図１は、第１の実施形態に係る超音波診断装置１の構成例を示すブロック図である。図１に示すように、第１の実施形態に係る超音波診断装置１は、装置本体１００と、超音波プローブ１０１と、入力装置１０２と、ディスプレイ１０３とを備える。超音波プローブ１０１、入力装置１０２、及びディスプレイ１０３は、それぞれ装置本体１００に接続される。
【０００９】
超音波プローブ１０１は、複数の振動素子（圧電振動子）を有する。超音波プローブ１０１は、被検体Ｐの体表面に接触され、超音波の送受信（超音波走査）を行う。複数の振動素子は、後述する装置本体１００が有する送信回路１１０から供給される駆動信号に基づいて、超音波を発生させる。発生した超音波は、被検体Ｐ内の音響インピーダンスの不整合面で反射され、組織内の散乱体によって散乱された成分等を含む反射波信号（受信エコー）として複数の振動素子にて受信される。超音波プローブ１０１は、複数の振動素子にて受信した反射波信号を、送信回路１１０へ送る。
【００１０】
なお、本実施形態では、超音波プローブ１０１が、マトリクス状（格子状）に配列された複数の振動素子を有する２次元超音波プローブ（「２Ｄアレイプローブ」とも表記する）である場合を説明するが、これに限定されるものではない。例えば、超音波プローブ１０１は、所定方向に１次元で配列された複数の振動素子を有する１次元超音波プローブ（「１Ｄアレイプローブ」とも表記する）であってもよい。
【００１１】
入力装置１０２は、マウス、キーボード、ボタン、パネルスイッチ、タッチコマンドスクリーン、フットスイッチ、トラックボール、ジョイスティック等を有し、超音波診断装置１の操作者からの各種設定要求を受け付け、装置本体１００に対して受け付けた各種設定要求を転送する。
【００１２】
また、例えば、入力装置１０２は、出力対象の画像を拡大又は縮小して表示するための要求を受け付ける。言い換えると、入力装置１０２は、ズーム率を調整する指示を受け付ける。また、例えば、入力装置１０２は、深度を変更するための要求を受け付ける。言い換えると、入力装置１０２は、深度を変更する指示を受け付ける。
【００１３】
ディスプレイ１０３は、超音波診断装置１の操作者が入力装置１０２を用いて各種設定要求を入力するためのＧＵＩ（Graphical  User  Interface）を表示したり、装置本体１００において生成された超音波画像データ等を表示したりする。例えば、ディスプレイ１０３は、液晶ディスプレイやＣＲＴ（Cathode  Ray  Tube）ディスプレイ等によって構成される。また、ディスプレイ１０３のことをモニタと適宜称する。なお、ディスプレイ１０３は、出力部の一例である。
【００１４】
装置本体１００は、超音波プローブ１０１が受信した反射波信号に基づいて、超音波画像データを生成する装置である。図１に示すように、装置本体１００は、例えば、送信回路１１０と、受信回路１２０と、Ｂモード処理回路１３０と、ドプラ処理回路１４０と、画像生成回路１５０と、画像メモリ１６０と、記憶回路１７０と、処理回路１８０とを有する。送信回路１１０、受信回路１２０、Ｂモード処理回路１３０と、ドプラ処理回路１４０、画像生成回路１５０、画像メモリ１６０、記憶回路１７０、及び処理回路１８０は、互いに通信可能に接続される。
【００１５】
送信回路１１０は、パルサ回路等を有する。パルサ回路は、所定のレート周波数（ＰＲＦ：Pulse  Repetition  Frequency）で、送信超音波を形成するためのレートパルスを繰り返し発生し、発生したレートパルスを超音波プローブ１０１に出力する。
【００１６】
また、送信回路１１０は、処理回路１８０による制御を受けて、パルサ回路が出力する駆動信号の振幅の値を出力する。また、送信回路１１０は、処理回路１８０による制御を受けて、超音波プローブ１０１に、超音波プローブ１０１から送信される超音波に対する遅延量を送信する。
【００１７】
受信回路１２０は、Ａ／Ｄ変換器及び受信ビームフォーマを有する。受信回路１２０は、超音波プローブ１０１から出力された反射波信号を受信すると、まず、Ａ／Ｄ変換器が、反射波信号をデジタルデータに変換し、受信ビームフォーマが、これらの各チャンネルからのデジタルデータに対し整相加算処理を行って反射波データを生成し、生成した反射波データをＢモード処理回路１３０及びドプラ処理回路１４０に送信する。
【００１８】
Ｂモード処理回路１３０は、受信回路１２０から出力された反射波データを受信し、受信した反射波データに対して対数増幅、包絡線検波処理等を行って、信号強度が輝度の明るさで表現されるデータ（Ｂモードデータ）を生成する。
【００１９】
ドプラ処理回路１４０は、受信回路１２０から出力された反射波データを受信し、受信した反射波データから速度情報を周波数解析し、ドプラ効果による血流や組織、造影剤エコー成分を抽出し、平均速度、分散、パワー等の移動体情報を多点について抽出したデータ（ドプラデータ）を生成する。
【００２０】
画像生成回路１５０は、Ｂモード処理回路１３０及びドプラ処理回路１４０が生成したデータから超音波画像データを生成する。画像生成回路１５０は、Ｂモード処理回路１３０が生成したＢモードデータから反射波の強度を輝度で表したＢモード画像データを生成する。また、画像生成回路１５０は、ドプラ処理回路１４０が生成したドプラデータから移動体情報を表すドプラ画像データを生成する。ドプラ画像データは、速度画像データ、分散画像データ、パワー画像データ、又は、これらを組み合わせた画像データである。
【００２１】
ここで、画像生成回路１５０は、一般的には、超音波走査の走査線信号列を、テレビ等に代表されるビデオフォーマットの走査線信号列に変換（スキャンコンバート）し、表示用の超音波画像データを生成する。具体的には、画像生成回路１５０は、超音波プローブ１０１による超音波の走査形態に応じて座標変換を行うことで、表示用の超音波画像データを生成する。また、画像生成回路１５０は、スキャンコンバート以外に、種々の画像処理として、例えば、スキャンコンバート後の複数の画像フレームを用いて、輝度の平均値画像を再生成する画像処理（平滑化処理）や、画像内で微分フィルタを用いる画像処理（エッジ強調処理）等を行う。また、画像生成回路１５０は、超音波画像データに、種々のパラメータの文字情報、目盛り、ボディーマーク等を合成する。
【００２２】
画像メモリ１６０は、画像生成回路１５０が生成した画像データ（Ｂモード画像データ、ドプラ画像データ等）を記憶するメモリである。また、画像メモリ１６０は、Ｂモード処理回路１３０及びドプラ処理回路１４０が生成したデータを記憶することも可能である。画像メモリ１６０が記憶するＢモードデータ及びドプラデータは、例えば、操作者が呼び出すことが可能となっており、画像生成回路１５０を経由して表示用の超音波画像データとなる。
【００２３】
記憶回路１７０は、超音波送受信、画像処理及び表示処理などを行うための制御プログラムや、診断情報（例えば、患者ＩＤ、医師の所見等）や、診断プロトコルや各種ボディーマーク等の各種データを記憶する。また、記憶回路１７０は、必要に応じて、画像メモリ１６０が記憶する画像データの保管等にも使用される。また、記憶回路１７０が記憶するデータは、図示しない通信インターフェースを介して、外部装置へ転送することができる。
【００２４】
また、図１に示すように、記憶回路１７０は、対応情報ＤＢ（Data  Base）１７１と、トリガー種別ＤＢ１７２とを備える。対応情報ＤＢ１７１は、出力部の種別と出力サイズとを対応付けた対応情報を記憶する。トリガー種別ＤＢ１７２は、トリガーとなる操作の種別を記憶する。
【００２５】
図２は、第１の実施形態に係る対応情報ＤＢ１７１が記憶する情報の一例を示す図である。図２では、出力部がディスプレイ１０３等のディスプレイ（モニタ）である場合について説明する。図２に示すように、対応情報ＤＢ１７１は、「モニタＩＤ」と「ピクセルサイズ」とを対応付けた対応情報を記憶する。ここで、対応情報ＤＢ１７１が記憶する「モニタＩＤ」は、ディスプレイの種別を一意に識別する情報を示す。例えば、「モニタＩＤ」には、「０００１」、「０００２」等の情報が格納される。
【００２６】
また、対応情報ＤＢ１７１が記憶する「ピクセルサイズ」は、対応するディスプレイの１ピクセル当たりのサイズを示す。言い換えると、対応情報ＤＢ１７１が記憶する「ピクセルサイズ」は、対応するディスプレイの出力サイズを示す。例えば、「ピクセルサイズ」には、「０．０１ｃｍ」、「０．００５ｃｍ」等の情報が格納される。
【００２７】
一例をあげると、図２に示す対応情報ＤＢ１７１は、「モニタＩＤ」が「０００１」であるディスプレイの１ピクセル当たりのサイズが「０．０１ｃｍ」であり、「モニタＩＤ」が「０００２」であるディスプレイの１ピクセル当たりのサイズが「０．０１ｃｍ」であることを示す。
【００２８】
なお、対応情報ＤＢ１７１に記憶されている場合について説明したが、実施形態はこれに限定されるものではない。例えば、操作者からピクセルサイズに関する情報の入力を受け付けてもよい。或いは、出力部と接続された際に、この出力部からピクセルサイズに関する情報を取得してもよい。
【００２９】
図３は、第１の実施形態に係るトリガー種別ＤＢ１７２が記憶する情報の一例を示す図である。図３に示すように、トリガー種別ＤＢ１７２は、「種別ＩＤ」と「操作」とを対応付けた情報を記憶する。ここで、トリガー種別ＤＢ１７２が記憶する「種別ＩＤ」は、トリガーの種別を一意に識別する情報を示す。例えば、「種別ＩＤ」には、「Ｔ１」、「Ｔ２」等の情報が格納される。
【００３０】
また、トリガー種別ＤＢ１７２が記憶する「操作」は、トリガーとなる操作の種別を示す。例えば、「操作」には、「穿刺用アプリケーションの選択」や「穿刺用プローブの接続」等の情報が格納される。
【００３１】
一例をあげると、図３に示すトリガー種別ＤＢ１７２は、「種別ＩＤ」が「Ｔ１」であるトリガーは、穿刺用アプリケーションを選択する操作であり、「種別ＩＤ」が「Ｔ２」であるトリガーは、穿刺用プローブを接続する操作であることを示す。
【００３２】
処理回路１８０は、超音波診断装置１の処理全体を制御する。具体的には、処理回路１８０は、入力装置１０２を介して操作者から入力された各種設定要求や、記憶回路１７０から読み込んだ各種制御プログラムおよび各種データに基づき、送信回路１１０、受信回路１２０、Ｂモード処理回路１３０、ドプラ処理回路１４０、画像生成回路１５０等の処理を制御する。また、処理回路１８０は、画像メモリ１６０が記憶する超音波画像データをディスプレイ１０３に表示させる。
【００３３】
また、図１に示すように、処理回路１８０は、制御機能１８１を備える。制御機能１８１は、トリガーの入力を受け付けた場合に、出力対象の画像を出力部に実寸で出力させる。なお、制御機能１８１の処理については、後述する。
【００３４】
なお、装置本体１００に内蔵される送信回路１１０、受信回路１２０、Ｂモード処理回路１３０、ドプラ処理回路１４０、画像生成回路１５０、及び処理回路１８０は、プロセッサ（ＣＰＵ（Central  Processing  Unit）、ＭＰＵ（Micro-Processing  Unit）、集積回路等）のハードウェアにより構成される。
【００３５】
また、各プロセッサが実行する各処理機能は、例えば、コンピュータによって実行可能なプログラムの形態で記憶回路１７０に記録されている。つまり、各プロセッサは、各プログラムを記憶回路１７０から読み出し、実行することで各プログラムに対応する機能を実現する。例えば、図１に示した制御機能１８１は、処理回路１８０が制御機能１８１に対応するプログラムを記憶回路１７０から読み出し実行することで、実現される機能である。換言すると、制御機能１８１に対応するプログラムを読み出した状態の処理回路１８０は、図１の処理回路１８０内に示された制御機能１８１を有することとなる。
【００３６】
なお、図１においては、単一の処理回路１８０にて、制御機能１８１にて行われる処理機能が実現されるものとして説明するが、複数の独立したプロセッサを組み合わせて処理回路を構成し、各プロセッサがプログラムを実行することにより制御機能１８１を実現するものとしても構わない。
【００３７】
このように構成される超音波診断装置１は、超音波走査によりリアルタイムに生成する超音波画像や過去の超音波走査により生成した超音波画像を表示する。ここで、超音波診断装置１は、超音波画像を表示する場合、例えば、モニタの解像度と画像の拡大率（ズーム率）とに応じたサイズの超音波画像を表示する方法が考えられる。
【００３８】
しかしながら、この方法では、モニタに表示される画像のサイズと、実際の対象物のサイズとが異なる場合がある。このようにサイズ感が異なるため、モニタを参照しながら手技を行う場合に、術者は違和感を覚える可能性がある。例えば、術者が超音波画像を参照しながら穿刺を行う場合、超音波画像での距離感と実際の生体内での距離とが異なる。このため、モニタの解像度と画像の拡大率とに応じたサイズの超音波画像を表示する方法では、術者による手技を充分に支援することができない可能性がある。
【００３９】
また、表示サイズがズーム率などの複数のパラメータにより決定されているため、操作者は、実寸での画像表示を行う際には複数の操作を行う必要があった。更に、操作者は、実寸であることを確認する際には定規などのスケールで画面上の長さを測りながら行う必要があった。すなわち、実寸での画像表示を行うには、操作者にとって煩雑な操作が必要であった。
【００４０】
そこで、第１の実施形態に係る超音波診断装置１は、トリガーの入力を受け付けた場合に、出力対象の画像を出力部に実寸で出力させる画像処理を実行することで、術者等を支援する。例えば、超音波診断装置１は、ディスプレイ１０３に表示する画像を実寸で表示する。このような画像処理は、処理回路１８０が制御機能１８１を実行することによって実現される。
【００４１】
例えば、第１の実施形態に係る制御機能１８１は、トリガーとなる種別の操作の入力を受け付けた場合に、出力対象の画像を出力部に実寸で出力させる。より具体的には、第１の実施形態に係る制御機能１８１は、超音波走査時のモード切り替え指示をトリガーとし、出力対象の画像をディスプレイ１０３に実寸で表示させる。
【００４２】
図４は、第１の実施形態に係る制御機能１８１による画像処理の手順を示すフローチャートであり、図５から図８は、第１の実施形態を説明するための図である。図４では、制御機能１８１の動作を説明するフローチャートを示す。ステップＳ１からステップＳ６は、制御機能１８１により実現されるステップである。ステップＳ１では、制御機能１８１は、トリガーの入力を受け付けたか否かを判定する。ここで、制御機能１８１は、図３で説明した、トリガーとなる操作の種別を記憶するトリガー種別ＤＢ１７２を参照して、トリガーとなる種別の操作を受け付けたか否かを判定する。
【００４３】
より具体的には、制御機能１８１は、超音波走査時のモード切り替え指示として、穿刺針を装着可能な超音波プローブの接続をトリガーとする。或いは、制御機能１８１は、超音波走査時のモード切り替え指示として、穿刺用アプリケーションの選択をトリガーとする。
【００４４】
或いは、制御機能１８１は、超音波走査時のモード切り替え指示として、計測用アプリケーションの選択をトリガーとする。例えば、制御機能１８１は、ＩＭＴ（Intima-Media  Thickness)計測等の計測を行うようなアプリケーションの選択をトリガーとする。また、例えば、制御機能１８１は、産科や心臓等の計測を伴う可能性がある検査部位のアプリケーションの選択をトリガーとする。
【００４５】
このように、第１の実施形態に係る制御機能１８１は、超音波走査時のモード切り替え指示を受け付けた場合に、トリガーの入力を受け付けたと判定する。そして、制御機能１８１は、トリガーの入力を受け付けた場合に、以下で説明するように、超音波走査により生成される音波画像を実寸でディスプレイ１０３に表示させる画像処理を実行する。
【００４６】
制御機能１８１は、トリガーの入力を受け付けたと判定しなかった場合（ステップＳ１、Ｎｏ）、ステップＳ１の判定処理を繰り返す。一方、制御機能１８１は、トリガーの入力を受け付けたと判定した場合（ステップＳ１、Ｙｅｓ）、超音波走査によりリアルタイムに生成された超音波画像を取得する（ステップＳ２）。
【００４７】
例えば、制御機能１８１は、図５に示すような、リアルタイムで生成される超音波画像を取得する。図５では、肝臓を描出した超音波画像を図示している。なお、超音波診断装置１では、画像の拡大率に応じた１ピクセル当たりの生体のサイズをデータとして保持している。ここでは、拡大率が等倍であり、１ピクセル当たりの生体のサイズ（生体長換算値）が０．００８ｃｍであるものとして説明する。なお、生体長換算値は（距離（ｘ）＝速さ（ｖ）×時間（ｔ））において、ｖとｔとを以下の通り算出することで、超音波プローブからの距離（ｘ）が求められる。ここで、ｖは、生体内の超音波速度を１５００（ｍ／ｓ）と仮定し、ｔは、（超音波の送信から受信までの時間）／２とする。図５に示す例では、超音波画像において出力対象として描出された肝臓の実際の大きさが１５ｃｍである場合について説明する。かかる場合、１５ｃｍの肝臓の画像は、１８７５（１５ｃｍ÷０．００８ｃｍ／ピクセル）ピクセルでディスプレイ１０３に表示される。
【００４８】
図４に戻る。ステップＳ３では、制御機能１８１は、ディスプレイ種別に応じたピクセルサイズを取得する。例えば、制御機能１８１は、図２に示す対応情報を記憶回路１７０の対応情報ＤＢ１７１から取得し、ディスプレイ１０３のピクセルサイズを取得する。ここで、例えば、取得したピクセルサイズが０．０１ｃｍであるものとする。
【００４９】
ステップＳ４では、制御機能１８１は、取得したピクセルサイズと、生体長換算値とから実寸表示時のピクセル数を算出する。言い換えると、制御機能１８１は、トリガーに応じて、出力部の出力サイズから出力対象の画像を実寸で出力する際のピクセル数を算出する。言い換えると、制御機能１８１は、ディスプレイ１０３の表示領域に表示可能な画像の範囲を決定する。
【００５０】
ここで、例えば、制御機能１８１は、取得したピクセルサイズが０．０１ｃｍであり、画像において出力対象として描出された肝臓の大きさが１５ｃｍであることから、画像を実寸表示するためのピクセル数が、１５００（１５ｃｍ÷０．０１ｃｍ／ピクセル）ピクセルであると算出する。すなわち、制御機能１８１は、対応情報を参照して、出力対象の画像を出力部に実寸で出力する際のピクセル数を算出する。
【００５１】
ステップＳ５では、制御機能１８１は、算出したピクセル数で取得した超音波画像をディスプレイ１０３に表示させる。例えば、制御機能１８１は、図６に示すように、超音波画像を実寸でディスプレイ１０３に表示させる。このように、制御機能１８１は、出力対象の画像を算出したピクセル数で出力部に出力させる。
【００５２】
なお、制御機能１８１は、実寸表示している場合には、実寸表示していることを示す情報を更に表示してもよい。例えば、図７に示すように、制御機能１８１は、ディスプレイ１０３の画面左端上部に「実寸表示中」と更に表示させる。すなわち、制御機能１８１は、出力対象の画像を出力部に実寸で出力中であることを示す情報を更に出力する。
【００５３】
図４に戻る。ステップＳ６では、制御機能１８１は、実寸表示の解除を受け付けたか否かを判定する。ここで、トリガーの解除となる操作について説明する。例えば、制御機能１８１は、ズーム率を調整する指示の選択を受け付けた場合、或いは、深度の変更を受け付けた場合に、トリガーの解除となる操作を受け付けたと判定し、実寸表示を終了する。
【００５４】
ここで言うズーム率を調整する指示とは、画像を拡大又は縮小して表示する指示である。すなわち、実寸表示されている画像の一部を詳細に把握するために拡大して表示したり、実寸表示されている画像の全体像を把握するために縮小して表示したりする指示である。このため、制御機能１８１は、実寸表示中にズーム率を調整する指示の選択を受け付けた場合には、実寸表示を終了する。
【００５５】
また、ここで言う深度の変更とは、超音波の送受信方向における画像化領域を変更することである。言い換えると、超音波プローブ１０１に対する深さ方向において、より浅い位置まで画像化するように変更したり、より深い位置まで画像化するように変更したりすることを示す。例えば、図８の左図では、深度が１０ｃｍまで画像化する場合を示し、図８の右図では、深度が２４ｃｍまで画像化する場合を示す。
【００５６】
浅い位置まで画像化する一例として、図８の右図に示す状態から図８の左図に示す状態に変更した場合、図８の左図に示す超音波画像は、図８の右図に示す破線部分までしか画像化されていない。一方、深い位置まで画像化する一例として、図８の左図に示す状態から図８の右図に示す状態に変更した場合、図８の右図に示す超音波画像は、図８の左図に示す画像化領域を含んだより広い範囲まで画像化される。すなわち、深度の変更によって、超音波の送受信位置を起点とする深さ方向に対して、超音波画像を拡大したり縮小したりする。このため、例えば、実寸表示していても、深度を変更することによって、トリガーの解除となる操作を受け付けたと判定し、実寸表示を終了する。
【００５７】
図４に戻る。制御機能１８１は、実寸表示の解除を受け付けたと判定しなかった場合（ステップＳ６、Ｎｏ）、ステップＳ２に移行して、超音波走査によりリアルタイムに生成された超音波画像を表示する。この結果、超音波走査により新たに生成される超音波画像が実寸表示されることになる。一方、制御機能１８１は、実寸表示の解除を受け付けたと判定した場合（ステップＳ６、Ｙｅｓ）、処理を終了する。すなわち、制御機能１８１は、出力対象の画像を出力部に実寸で出力中にズーム率を調整する指示の選択や深度を変更する指示の選択を受け付けた場合、実寸からズーム率や変更後の深度に応じた寸法に変更して、出力対象の画像を出力部に出力させる。
【００５８】
このように、第１の実施形態に係る超音波診断装置１では、制御機能１８１は、リアルタイムの超音波走査時におけるモード切り替え指示をトリガーとし、トリガーの入力を受け付けた場合に、出力対象の画像を出力部に実寸で出力させる。
【００５９】
例えば、制御機能１８１は、穿刺針を装着可能な超音波プローブの接続をトリガーとし、超音波走査により生成される超音波画像を実寸でディスプレイ１０３に表示させる。或いは、制御機能１８１は、穿刺用アプリケーションの選択をトリガーとし、超音波走査により生成される超音波画像を実寸でディスプレイ１０３に表示させる。或いは、制御機能１８１は、計測用アプリケーションの選択をトリガーとし、超音波走査により生成される超音波画像を実寸でディスプレイ１０３に表示させる。これにより、ディスプレイ１０３に表示される画像のサイズと実際の対象物のサイズとが一致する。
【００６０】
ここで、例えば、従来の技術では、表示サイズが深度やズーム率などの複数のパラメータにより決定されているため、実寸での画像表示を行う際には複数の操作を行う必要があった。また、実寸であることを確認する際には定規などのスケールで画面上の長さを測りながら行う必要があり、非常に面倒であるという問題があった。一方、第１の実施形態では、実寸での画像表示を行う際に複数の操作を行わなくても、トリガーの入力を契機として、対象物の画像がディスプレイ１０３に実寸表示される。これにより、第１の実施形態によれば、操作性を向上させることができる。更に、操作者は、モニタを参照しながら手技を行う場合に、ディスプレイ１０３に表示される画像のサイズと実際の対象物のサイズとが一致するので、違和感を覚えることなく手技を行うことができる。
【００６１】
なお、制御機能１８１は、超音波走査時のモード切り替え指示として、出力対象の画像を拡大又は縮小して表示する指示の受け付けをトリガーとしてもよい。言い換えると、制御機能１８１は、ズーム率を調整する指示の受け付けをトリガーとしてもよい。例えば、制御機能１８１は、入力装置１０２が有するズーム率を調整する指示を受け付けるボタンの押下をトリガーとする。すなわち、通常ではズーム率を調整する指示の受け付けに用いられるボタンが、出力対象の画像を出力部に実寸で出力させる画像処理のトリガーとして用いられる。そして、制御機能１８１は、超音波走査により生成される超音波画像を実寸でディスプレイ１０３に表示させる。なお、制御機能１８１は、ズーム率を調整する指示の受け付けをトリガーとして超音波画像を実寸表示している場合に、再度ズーム率を調整する指示を受け付けた場合には、トリガーの解除となる操作を受け付けたと判定し、実寸表示を終了する。
【００６２】
また、制御機能１８１は、入力装置１０２が有するズーム率を調整する指示を受け付けるボタンの押下を受け付けて、画像を拡大又は縮小させている最中に画像が実寸域になった場合に、出力対象の画像を実寸で表示中であることを示す情報を更に出力してもよい。そして、制御機能１８１は、出力対象の画像を実寸で表示中に、更にズーム率を調整する指示を受け付けた場合に、トリガーの解除となる操作を受け付けたと判定し、実寸表示を終了する。
【００６３】
また、制御機能１８１は、入力装置１０２が実寸表示の指示を受け付けるボタンを有する場合には、この実寸表示の指示を受け付けるボタンの押下をトリガーとし、超音波画像をディスプレイ１０３に実寸表示してもよい。
【００６４】
（第１の実施形態の第１の変形例）
ところで、上述した第１の実施形態では、制御機能１８１は、術者が超音波画像を参照しながら穿刺を行う場合等、リアルタイムの超音波走査時におけるモード切り替え指示をトリガーとした。以下では、リアルタイムの超音波走査時におけるモード切り替え指示の別例として、超音波走査時に操作者によって参照される参照画像を表示する指示をトリガーとする場合について説明する。
【００６５】
超音波検査は、術者の経験を要する手技である。例えば、熟練した術者であれば、所望の検査部位に超音波プローブ１０１を当接してスキャンするまで時間を要さないが、経験の浅い術者にとっては、所望の検査部位に超音波プローブ１０１を正しく当接できているかを確認することが困難な場合がある。
【００６６】
このため、所望の角度でスキャンできているかを確認するために、検査対象とする組織についてお手本となる画像を教材画像として参照しながら、超音波走査を行うように術者を支援する場合がある。そこで、第１の実施形態の第１の変形例では、このような教材画像を参照しながら超音波走査を行う際に、教材画像とリアルタイムに生成される超音波画像とを実寸表示する場合について説明する。
【００６７】
第１の実施形態の第１の変形例に係る制御機能１８１は、超音波走査時に操作者によって参照される参照画像を表示する指示をトリガーとし、参照画像と超音波走査により生成される超音波画像とを実寸でディスプレイ１０３に表示させる。例えば、第１の実施形態の第１の変形例に係る制御機能１８１は、教材画像を参照画像として表示する指示をトリガーとする。
【００６８】
図９は、第１の実施形態の第１の変形例に係る制御機能１８１による画像処理の手順を示すフローチャートであり、図１０は、第１の実施形態の第１の変形例を説明するための図である。図９では、制御機能１８１の動作を説明するフローチャートを示す。ステップＳ１１からステップＳ１７は、制御機能１８１により実現されるステップである。ステップＳ１１では、制御機能１８１は、トリガーの入力を受け付けたか否かを判定する。ここで、制御機能１８１は、図３で説明した、トリガーとなる操作の種別を記憶するトリガー種別ＤＢ１７２を参照して、トリガーとなる種別の操作を受け付けたか否かを判定する。
【００６９】
より具体的には、制御機能１８１は、教材画像を取得する操作をトリガーとする。なお、かかる場合、トリガー種別ＤＢ１７２には、トリガーとなる操作として、教材画像の取得が記憶されているものとする。
【００７０】
制御機能１８１は、トリガーの入力を受け付けたと判定しなかった場合（ステップＳ１１、Ｎｏ）、ステップＳ１１の判定処理を繰り返す。一方、制御機能１８１は、トリガーの入力を受け付けたと判定した場合（ステップＳ１１、Ｙｅｓ）、教材画像を取得する（ステップＳ１２）。例えば、制御機能１８１は、画像メモリ１６０から教材画像を取得する。なお、教材画像には生体長換算が例えば付帯情報として記憶されている。
【００７１】
ステップＳ１３では、制御機能１８１は、図４に示すステップＳ２と同様にして、超音波走査によりリアルタイムに生成された超音波画像を取得する。ステップＳ１４では、制御機能１８１は、図４に示すステップＳ３と同様にして、ディスプレイ種別に応じたピクセルサイズを取得する。ステップＳ１５では、制御機能１８１は、図４に示すステップＳ４と同様にして、取得したピクセルサイズと、生体長換算値とから実寸表示時のピクセル数を算出する。
【００７２】
ステップＳ１６では、制御機能１８１は、算出したピクセル数で取得した教材画像と超音波画像とをディスプレイ１０３に表示させる。図１０の左側の画像は教材画像を示し、図１０の右側の画像はリアルタイムに生成される超音波画像を示す。例えば、操作者は、図１０の左側の教材画像と、図１０の右側のリアルタイムに生成される超音波画像とが実寸表示されるので、教材画像と超音波画像とを見比べることで、所望の角度でスキャンできているかを確認することが可能になる。
【００７３】
図９に戻る。ステップＳ１７では、制御機能１８１は、図４に示すステップＳ６と同様にして、実寸表示の解除を受け付けたか否かを判定する。制御機能１８１は、実寸表示の解除を受け付けたと判定しなかった場合（ステップＳ１７、Ｎｏ）、ステップＳ１３に移行して、超音波走査によりリアルタイムに生成された超音波画像を表示する。この結果、超音波走査により新たに生成される超音波画像が実寸表示されることになる。一方、制御機能１８１は、実寸表示の解除を受け付けたと判定した場合（ステップＳ１７、Ｙｅｓ）、処理を終了する。
【００７４】
上述したように、第１の実施形態の第１の変形例では、例えば、ズーム率の調整などの複数の操作を行わなくても、教材画像と、リアルタイムに生成される超音波画像とが実寸表示される。これにより、操作者は、煩雑な操作を行うことなく、実寸で表示された教材画像とリアルタイムに生成される超音波画像とを観察することが可能になる。この結果、操作者は、教材画像と超音波画像とを見比べることで、所望の角度でスキャンできているかを確認することが可能になる。
【００７５】
なお、上述した第１の実施形態の第１の変形例では、教材画像を取得する操作をトリガーとする場合について説明したが、実施形態はこれに限定されるものではない。例えば、上述した第１の実施形態の第１の変形例は、複数の教材画像を用いて各教材画像に対応する断面の超音波走査を所定の順序で行う場合にも適用可能である。かかる場合、スキャンプロトコルの選択をトリガーとしてもよい。より具体的には、操作者が操作しやすいように、スキャンモードや条件、スキャンの順序及びスキャンに対応する教材画像が予めスキャンプロトコルとして登録される。そして、このスキャンプロトコルでは、登録したスキャンの順序で自動的にスキャンモードや条件、教材画像を切り替える。制御機能１８１は、このスキャンプロトコルの選択をトリガーとし、教材画像と超音波画像とをディスプレイ１０３に実寸表示させる。
【００７６】
（第１の実施形態の第２の変形例）
第１の実施形態の第２の変形例では、超音波走査時のモード切り替え指示の別例として、超音波走査時に操作者によって参照される参照画像を表示する指示をトリガーとする場合の別例について説明する。例えば、超音波走査時に、超音波走査における検査部位と同一の検査部位を撮影した画像であって、他の医用画像診断装置により生成された画像を参照画像として用いて、リアルタイムに生成される超音波画像と位置合わせを行う場合がある。そこで、第１の実施形態の第２の変形例では、参照画像と超音波画像とを実寸表示する場合について説明する。
【００７７】
まず、第１の実施形態の第２の変形例に係る超音波診断装置の構成について説明する。なお、第１の実施形態の第２の変形例に係る超音波診断装置において、図１に示す第１の実施形態に係る超音波診断装置と同様の構成については、同一の符号を付与し、詳細な説明を省略する。
【００７８】
図１１は、第１の実施形態の第２の変形例に係る超音波診断装置１ａの構成例を示すブロック図である。図１１に示すように、第１の実施形態の第２の変形例に係る超音波診断装置１ａは、装置本体１００ａと、超音波プローブ１０１と、入力装置１０２と、ディスプレイ１０３と、位置センサ１０４と、トランスミッタ１０５とを有する。超音波プローブ１０１、入力装置１０２、ディスプレイ１０３、及びトランスミッタ１０５は、装置本体１００ａと通信可能に接続される。
【００７９】
位置センサ１０４及びトランスミッタ１０５は、超音波プローブ１０１の位置情報を取得するための装置（位置検出システム）である。例えば、位置センサ１０４は、超音波プローブ１０１に取り付けられる磁気センサである。また、例えば、トランスミッタ１０５は、任意の位置に配置され、自装置を中心として外側に向かって磁場を形成する装置である。
【００８０】
位置センサ１０４は、トランスミッタ１０５によって形成された３次元の磁場を検出する。そして、位置センサ１０４は、検出した磁場の情報に基づいて、トランスミッタ１０５を原点とする空間における自装置の位置（座標）及び方向（角度）を算出し、算出した位置及び方向を後述する処理回路１８０に送信する。処理回路１８０に送信された位置センサ１０４の３次元的な位置情報（位置及び方向）は、超音波プローブ１０１の位置情報、或いは超音波プローブ１０１により走査される走査範囲の位置情報に適宜変換されて利用される。例えば、位置センサ１０４の位置情報は、位置センサ１０４と超音波プローブ１０１との位置関係により超音波プローブ１０１の位置情報に変換される。また、超音波プローブ１０１の位置情報は、超音波プローブ１０１と走査範囲との位置関係により走査範囲の位置情報に変換される。なお、走査範囲の位置情報は、走査範囲と走査線上のサンプル点との位置関係により、各画素位置にも変換可能である。つまり、位置センサ１０４の３次元的な位置情報は、超音波プローブ１０１により撮像される超音波画像データの各画素位置に変換可能である。
【００８１】
なお、本実施形態は、上記の位置検出システム以外のシステムにより、超音波プローブ１０１の位置情報を取得する場合であっても適用可能である。例えば、本実施形態は、ジャイロセンサや加速度センサ等を用いて、超音波プローブ１０１の位置情報を取得する場合であっても良い。
【００８２】
装置本体１００ａは、図１１に示すように、送信回路１１０と、受信回路１２０と、Ｂモード処理回路１３０と、ドプラ処理回路１４０と、画像生成回路１５０と、画像メモリ１６０と、記憶回路１７０と、処理回路１８０と、通信インターフェース１９０とを有する。送信回路１１０、受信回路１２０、Ｂモード処理回路１３０、ドプラ処理回路１４０、画像生成回路１５０、画像メモリ１６０、記憶回路１７０、処理回路１８０、及び通信インターフェース１９０は、互いに通信可能に接続される。また、装置本体１００ａは、ネットワーク５に接続される。
【００８３】
通信インターフェース１９０は、ネットワーク５を経由して院内の各種の装置と通信を行うためのインターフェースである。通信インターフェース１９０により、処理回路１８０は、外部装置と通信を行う。例えば、処理回路１８０は、超音波診断装置１以外の医用画像診断装置により撮像された医用画像データ（Ｘ線ＣＴ（Computed  Tomography）画像データやＭＲＩ（Magnetic  Resonance  Imaging）画像データ等）をネットワーク５経由で受信する。そして、処理回路１８０は、受信した医用画像データを、自装置が撮像した超音波画像データとともにディスプレイ１０３に表示させる。なお、表示される医用画像データは、画像生成回路１５０により画像処理（レンダリング処理）された画像であってもよい。また、超音波画像データとともに表示される医用画像データは、ＣＤ−ＲＯＭ、ＭＯ、ＤＶＤ等の記憶媒体を介して取得される場合であっても良い。
【００８４】
第１の実施形態の第２の変形例に係る制御機能１８１は、超音波走査時に操作者によって参照される参照画像を表示する指示をトリガーとし、参照画像と超音波走査により生成される超音波画像とを実寸でディスプレイ１０３に表示させる。例えば、第１の実施形態の第２の変形例に係る制御機能１８１は、他の医用画像診断装置により生成された画像を参照画像として表示する指示をトリガーとする。ここで、他の医用画像診断装置により生成された画像は３次元画像である。そして、第１の実施形態の第２の変形例に係る制御機能１８１は、超音波走査により生成された画像と３次元画像データとを位置合わせして実寸で表示する。
【００８５】
続いて、第１の実施形態の第２の変形例に係る制御機能１８１による画像処理の手順について説明する。図１２は、第１の実施形態の第２の変形例に係る制御機能１８１による画像処理の手順を示すフローチャートであり、図１３は、第１の実施形態の第２の変形例を説明するための図である。
【００８６】
図１２では、制御機能１８１の動作を説明するフローチャートを示す。ステップＳ２１からステップＳ２９は、制御機能１８１により実現されるステップである。ステップＳ２１では、制御機能１８１は、トリガーの入力を受け付けたか否かを判定する。ここで、制御機能１８１は、図３で説明した、トリガーとなる操作の種別を記憶するトリガー種別ＤＢ１７２を参照して、トリガーとなる種別の操作を受け付けたか否かを判定する。
【００８７】
より具体的には、制御機能１８１は、参照画像を取得する操作をトリガーとする。なお、かかる場合、トリガー種別ＤＢ１７２には、トリガーとなる操作として、参照画像の取得が記憶されているものとする。
【００８８】
制御機能１８１は、トリガーの入力を受け付けたと判定しなかった場合（ステップＳ２１、Ｎｏ）、ステップＳ２１の判定処理を繰り返す。一方、制御機能１８１は、トリガーの入力を受け付けたと判定した場合（ステップＳ２１、Ｙｅｓ）、参照画像を取得する（ステップＳ２２）。例えば、制御機能１８１は、Ｘ線ＣＴ装置やＭＲＩ装置によって生成された３次元の医用画像データを参照画像として画像メモリ１６０から取得する。なお、参照画像には生体長換算が例えば付帯情報として記憶されている。
【００８９】
ステップＳ２３では、制御機能１８１は、図４に示すステップＳ２と同様にして、超音波走査によりリアルタイムに生成された超音波画像を取得する。ステップＳ２４では、制御機能１８１は、超音波プローブ１０１の位置情報を取得する。例えば、制御機能１８１は、位置センサ１０４の３次元的な位置情報を位置センサ１０４から取得する。そして、制御機能１８１は、位置センサ１０４から取得した位置センサ１０４の３次元的な位置情報、及び、位置センサ１０４と超音波プローブ１０１との位置関係により超音波プローブ１０１の位置情報を取得する。
【００９０】
ステップＳ２５では、制御機能１８１は、図４に示すステップＳ３と同様にして、ディスプレイ種別に応じたピクセルサイズを取得する。ステップＳ２６では、制御機能１８１は、図４に示すステップＳ４と同様にして、取得したピクセルサイズと、生体長換算値とから実寸表示時のピクセル数を算出する。
【００９１】
ステップＳ２７では、制御機能１８１は、位置情報に対応する参照画像の断面を特定する。例えば、制御機能１８１は、位置センサ１０４から取得した超音波プローブ１０１の３次元的な位置情報から、超音波プローブ１０１の走査断面と同一断面をＸ線ＣＴボリュームデータで特定し、更に、特定した断面内で、超音波プローブ１０１の走査により生成された超音波画像データの各座標に対応する座標を算出する。
【００９２】
ステップＳ２８では、制御機能１８１は、算出したピクセル数で、取得した超音波画像と、特定した参照画像の断面とをディスプレイ１０３に表示させる。図１３の左側の画像は参照画像を示し、図１３の右側の画像はリアルタイムに生成される超音波画像を示す。例えば、操作者は、図１３の左側の参照画像を参照しながら超音波走査を行う場合に、図１３の右側のリアルタイムに生成される超音波画像と図１３の左側の参照画像とが実寸表示されるので、参照画像と超音波画像の位置設定時に、体表上で動かすべきプローブの移動距離が掴みやすくなる。
【００９３】
図１２に戻る。ステップＳ２９では、制御機能１８１は、図４に示すステップＳ６と同様にして、実寸表示の解除を受け付けたか否かを判定する。制御機能１８１は、実寸表示の解除を受け付けたと判定しなかった場合（ステップＳ２９、Ｎｏ）、ステップＳ２３に移行して、超音波走査によりリアルタイムに生成された超音波画像を表示する。この結果、超音波走査により新たに生成される超音波画像が実寸表示されることになる。一方、制御機能１８１は、実寸表示の解除を受け付けたと判定した場合（ステップＳ２９、Ｙｅｓ）、処理を終了する。
【００９４】
上述したように、第１の実施形態の第２の変形例では、例えば、ズーム率の調整などの複数の操作を行わなくても、参照画像と、リアルタイムに生成される超音波画像とが実寸表示される。これにより、操作者は、煩雑な操作を行うことなく、実寸で表示された参照画像と、リアルタイムに生成される超音波画像とを観察することが可能になる。この結果、操作者は、位置設定時に、体表上で動かすべきプローブの移動距離が掴みやすくなる。
【００９５】
（第２の実施形態）
上述した第１の実施形態では、リアルタイムに生成される超音波画像を実寸表示する際に、モードの切り替えをトリガーとする場合について説明した。ところで、例えば、術前のシミュレーション時にも超音波画像を実寸表示することで、より正確に手術前の判断を行うことが可能になる。そこで、第２の実施形態では、過去に生成された超音波画像を実寸表示する場合について説明する。
【００９６】
第２の実施形態に係る超音波診断装置の構成例は、制御機能１８１の一部の機能が異なる点を除いて、図１に示す第１の実施形態に係る超音波診断装置と同様である。第２の実施形態に係る制御機能１８１は、過去画像の表示の受け付けをトリガーとし、過去画像をディスプレイ１０３に実寸で表示させる。
【００９７】
図１４は、第２の実施形態に係る制御機能１８１による画像処理の手順を示すフローチャートであり、図１５は、第２の実施形態を説明するための図である。図１４では、制御機能１８１の動作を説明するフローチャートを示す。ステップＳ３１からステップＳ３６は、制御機能１８１により実現されるステップである。
【００９８】
ステップＳ３１では、制御機能１８１は、トリガーの入力を受け付けたか否かを判定する。ここで、制御機能１８１は、図３で説明した、トリガーとなる操作の種別を記憶するトリガー種別ＤＢ１７２を参照して、トリガーとなる種別の操作を受け付けたか否かを判定する。
【００９９】
より具体的には、制御機能１８１は、術前シミュレーション時における過去画像を表示する指示をトリガーとする。なお、かかる場合、トリガー種別ＤＢ１７２には、トリガーとなる操作として、術前シミュレーション時における過去画像を表示する指示が記憶されているものとする。
【０１００】
制御機能１８１は、トリガーの入力を受け付けたと判定しなかった場合（ステップＳ３１、Ｎｏ）、ステップＳ３１の判定処理を繰り返す。一方、制御機能１８１は、トリガーの入力を受け付けたと判定した場合（ステップＳ３１、Ｙｅｓ）、過去の超音波画像を取得する（ステップＳ３２）。例えば、制御機能１８１は、術前シミュレーション時における過去画像を画像メモリ１６０から取得する。
【０１０１】
ステップＳ３３では、制御機能１８１は、図４に示すステップＳ３と同様にして、ディスプレイ種別に応じたピクセルサイズを取得する。ステップＳ３４では、制御機能１８１は、図４に示すステップＳ４と同様にして、取得したピクセルサイズと、生体長換算値とから実寸表示時のピクセル数を算出する。
【０１０２】
ステップＳ３５では、制御機能１８１は、算出したピクセル数で、取得した過去の超音波画像をディスプレイ１０３に表示させる。図１５では、損傷した心臓弁を、人工弁に取り替える弁置換術の術前シミュレーション時に表示される過去画像の一例を示す。図１５の左側の３枚の画像は異なる位置の短軸断層像を示し、図１５の中央の画像は、心尖部四腔像を示し、図１５の右側の画像は、長軸断層像を示す。また、図１５に示す短軸断層像、心尖部四腔像及び長軸断層像は、実寸表示されている。
【０１０３】
ここで、例えば、操作者は、置換予定の実物の人工弁を画面上に実寸表示された短軸断層像の僧帽弁にあてがうことで、手術で使用予定の人工弁の形状が適切か否かを判断することが可能になる。
【０１０４】
図１４に戻る。ステップＳ３６では、制御機能１８１は、図４に示すステップＳ６と同様にして、実寸表示の解除を受け付けたか否かを判定する。制御機能１８１は、実寸表示の解除を受け付けたと判定しなかった場合（ステップＳ３６、Ｎｏ）、ステップＳ３６の判定処理を繰り返す。一方、制御機能１８１は、実寸表示の解除を受け付けたと判定した場合（ステップＳ３６、Ｙｅｓ）、処理を終了する。
【０１０５】
上述したように、第２の実施形態では、制御機能１８１は、術前シミュレーション時における過去画像を表示する指示をトリガーとし、過去画像をディスプレイ１０３に実寸で表示させる。すなわち、第２の実施形態によれば、ズーム率の調整などの複数の操作を行わなくても、過去画像が実寸で表示される。これにより、操作者は、煩雑な操作を行うことなく、実寸で表示された過去画像を観察することが可能になる。この結果、例えば、操作者は、手術で使用予定の人工弁の形状が適切か判断しやすくなる。すなわち、第２の実施形態によれば、操作者は、より正確に手術前のシミュレーションを容易に行うことが可能になる。
【０１０６】
なお、上述した第２の実施形態では、人工弁の実物を手で持って、画面に表示された例えば僧帽弁にあてがうシチュエーションを想定した。しかしながら、実施形態はこれに限定されるものではない。例えば、画面上に人工弁のアイコンを実寸表示してもよい。そして、操作者は、この実寸表示された人工弁のアイコンを僧帽弁のところへ移動させて、手術で使用予定の人工弁の形状が適切か判断してもよい。
【０１０７】
（第２の実施形態の変形例）
上述した第２の実施形態では、術前のシミュレーション時に超音波画像を実寸表示する場合について説明したが、実施形態はこれに限定されるものではない。例えば、今まで取得した胎児の超音波画像を並べて実寸で表示してもよい。すなわち、第２の実施形態の変形例に係る制御機能１８１は、過去画像として週令の異なる胎児の画像データを表示する指示をトリガーとする。図１６は、第２の実施形態の変形例を説明するための図である。
【０１０８】
図１６では、今まで取得した周令の異なる４つの超音波画像を表示する場合について説明する。例えば、図１６に示すように、制御機能１８１は、ディスプレイ１０３の表示領域を４つに分割し、左上に第１２週の超音波画像、右上に第１４週の超音波画像、左下に第１８週の超音波画像、右下に第２０週の超音波画像を実寸で表示する。すなわち、操作者は、煩雑な操作を行うことなく、実寸で表示された各週の超音波画像を観察することが可能になる。この結果、胎児の母子等の利用者は、各週数での胎児の成長度を容易に把握することができる。
【０１０９】
（第３の実施形態）
第１の実施形態では、リアルタイムに生成される超音波画像を実寸表示する場合について説明し、第２の実施形態では、過去に生成された超音波画像を実寸表示する場合について説明した。ところで、実際の超音波画像の大きさが大きい場合には、超音波画像の全体を実寸で表示することが難しくなる。この一方で、操作者は、超音波画像全体ではなく、一部の領域のみを観察したい場合がある。このような場合には、操作者が観察したい領域のみを抜き出してもよいものである。
【０１１０】
そこで、第３の実施形態では、超音波画像において関心領域を設定する操作をトリガーとする場合について説明する。なお、第３の実施形態に係る超音波診断装置の構成例は、制御機能１８１の一部の機能が異なる点を除いて、図１に示す第１の実施形態に係る超音波診断装置と同様である。第３の実施形態に係る制御機能１８１は、ディスプレイ１０３に表示中の出力対象の画像における関心領域の設定をトリガーとし、関心領域をディスプレイ１０３に実寸で表示させる。
【０１１１】
図１７は、第３の実施形態に係る制御機能１８１による画像処理の手順を示すフローチャートであり、図１８及び図１９は、第３の実施形態を説明するための図である。図１７では、制御機能１８１の動作を説明するフローチャートを示す。ステップＳ４１からステップＳ４６は、制御機能１８１により実現されるステップである。
【０１１２】
ステップＳ４１では、制御機能１８１は、超音波画像を表示する。ここで、制御機能１８１は、リアルタイムに生成される超音波画像をディスプレイ１０３に表示してもよいし、過去に生成された超音波画像をディスプレイ１０３に表示してもよい。例えば、制御機能１８１は、図１８に示すように、超音波画像をディスプレイ１０３に表示する。図１８では、リアルタイムに生成される超音波画像の一例を示す。
【０１１３】
図１７に戻る。ステップＳ４２では、制御機能１８１は、トリガーの入力を受け付けたか否かを判定する。ここで、制御機能１８１は、図３で説明した、トリガーとなる操作の種別を記憶するトリガー種別ＤＢ１７２を参照して、トリガーとなる種別の操作を受け付けたか否かを判定する。
【０１１４】
より具体的には、制御機能１８１は、関心領域を設定する操作をトリガーとする。なお、かかる場合、トリガー種別ＤＢ１７２には、トリガーとなる操作として、関心領域の設定が記憶されているものとする。
【０１１５】
制御機能１８１は、トリガーの入力を受け付けたと判定しなかった場合（ステップＳ４２、Ｎｏ）、ステップＳ４２の判定処理を繰り返す。一方、制御機能１８１は、トリガーの入力を受け付けたと判定した場合（ステップＳ４２、Ｙｅｓ）、図４に示すステップＳ３と同様にして、ディスプレイ種別に応じたピクセルサイズを取得する（ステップＳ４３）。なお、図１８では、関心領域として図１８中に示すＲＯＩの選択を受け付けた場合を示す。
【０１１６】
ステップＳ４４では、制御機能１８１は、図４に示すステップＳ４と同様にして、取得したピクセルサイズと、生体長換算値とから実寸表示時のピクセル数を算出する。ステップＳ４５では、制御機能１８１は、算出したピクセル数で、取得した超音波画像をディスプレイ１０３に表示させる。例えば、制御機能１８１は、図１９に示すように、超音波画像をディスプレイ１０３に実寸表示させる。
【０１１７】
図１７に戻る。ステップＳ４６では、制御機能１８１は、図４に示すステップＳ６と同様にして、実寸表示の解除を受け付けたか否かを判定する。制御機能１８１は、実寸表示の解除を受け付けたと判定しなかった場合（ステップＳ４６、Ｎｏ）、ステップＳ４６の判定処理を繰り返す。一方、制御機能１８１は、実寸表示の解除を受け付けたと判定した場合（ステップＳ４６、Ｙｅｓ）、処理を終了する。
【０１１８】
上述したように、第３の実施形態では、ディスプレイ１０３に表示中の出力対象の画像における関心領域の設定をトリガーとし、関心領域をディスプレイ１０３に実寸で表示させる。これにより、第３の実施形態では、例えば、超音波画像全体の大きさが大きく実寸表示が難しい場合にも、ズーム率の調整などの複数の操作を行うことなく、観察したい部分のみを実寸で抜き出して表示する。この結果、操作者は、超音波画像全体の大きさが大きい場合でも、煩雑な操作を行うことなく、実寸で表示された観察したい部分を観察することができる。
【０１１９】
（第４の実施形態）
第４の実施形態では、超音波診断装置に接続される外部装置の出力部に画像を出力する場合について説明する。なお、第４の実施形態に係る超音波診断装置の構成例は、制御機能１８１の一部の機能が異なる点を除いて、図１に示す第１の実施形態に係る超音波診断装置と同様である。
【０１２０】
第４の実施形態に係る制御機能１８１は、超音波診断装置への外部装置の出力部の接続をトリガーとする。例えば、外部装置の出力部が、超音波診断装置に接続される外部モニタである場合に、第４の実施形態に係る制御機能１８１は、超音波診断装置が外部モニタに接続された場合に、出力対象の画像を外部モニタに実寸で表示させる。また、第４の実施形態に係る制御機能１８１は、更に、超音波診断装置が有するディスプレイ１０３に出力対象の画像を実寸で表示させる。
【０１２１】
図２０は、第４の実施形態に係る制御機能１８１による画像処理の手順を示すフローチャートである。図２０では、制御機能１８１の動作を説明するフローチャートを示す。ステップＳ５１からステップＳ５６は、制御機能１８１により実現されるステップである。
【０１２２】
ステップＳ５１では、制御機能１８１は、超音波画像を表示する。ここで、制御機能１８１は、リアルタイムに生成される超音波画像をディスプレイ１０３に表示してもよいし、過去に生成された超音波画像をディスプレイ１０３に表示してもよい。
【０１２３】
ステップＳ５２では、制御機能１８１は、トリガーの入力を受け付けたか否かを判定する。ここで、制御機能１８１は、図３で説明した、トリガーとなる操作の種別を記憶するトリガー種別ＤＢ１７２を参照して、トリガーとなる種別の操作を受け付けたか否かを判定する。
【０１２４】
より具体的には、制御機能１８１は、外部へ超音波画像を出力する操作をトリガーとする。なお、かかる場合、トリガー種別ＤＢ１７２には、トリガーとなる操作として、外部へ超音波画像を出力する操作が記憶されているものとする。
【０１２５】
制御機能１８１は、トリガーの入力を受け付けたと判定しなかった場合（ステップＳ５２、Ｎｏ）、ステップＳ５２の判定処理を繰り返す。一方、制御機能１８１は、トリガーの入力を受け付けたと判定した場合（ステップＳ５２、Ｙｅｓ）、図４に示すステップＳ３と同様にして、ディスプレイ種別に応じたピクセルサイズを取得する（ステップＳ５３）。かかる場合、対応情報ＤＢ１７１には、外部装置の出力部を一意に識別する情報と、この外部装置の出力部の１ピクセル当たりのサイズを示す情報とが対応付けて記憶されている。ステップＳ５４では、制御機能１８１は、図４に示すステップＳ４と同様にして、取得したピクセルサイズと、生体長換算値とから実寸表示時のピクセル数を算出する。
【０１２６】
ステップＳ５５では、制御機能１８１は、算出したピクセル数で、取得した超音波画像を外部に出力させる。例えば、制御機能１８１は、超音波診断装置に接続される外部モニタに出力対象の画像を実寸で表示させる。
【０１２７】
ステップＳ５６では、制御機能１８１は、図４に示すステップＳ６と同様にして、実寸表示の解除を受け付けたか否かを判定する。制御機能１８１は、実寸表示の解除を受け付けたと判定しなかった場合（ステップＳ５６、Ｎｏ）、ステップＳ５６の判定処理を繰り返す。一方、制御機能１８１は、実寸表示の解除を受け付けたと判定した場合（ステップＳ５６、Ｙｅｓ）、処理を終了する。
【０１２８】
上述したように、第４の実施形態では、超音波診断装置への外部装置の出力部の接続をトリガーとし、ズーム率の調整などの複数の操作を行わなくても、外部装置の出力部に出力対象の画像を実寸で出力させる。これにより、第４の実施形態によれば、例えば、操作者は、煩雑な操作を行うことなく、患者への説明時に、実寸で表示された画像を用いて、感覚的にわかりやすい説明を行うことが可能になる。例えば、セカンドコンソールなどの外部モニタに実寸で超音波画像を表示した場合、操作者は、当該部位にあてがいながら患者に説明でき、病変部の大きさや位置を正しく知らせることができる。
【０１２９】
なお、上述した第４の実施形態では、外部装置の出力部として、超音波診断装置に接続される外部モニタである場合について説明したが、実施形態はこれに限定されるものではない。例えば、制御機能１８１は、実寸サイズでデータを印刷してもよい。
【０１３０】
より具体的には、外部装置の出力部が、超音波診断装置に接続されるプリンタである場合、制御機能１８１は、プリンタへの印刷の指示を受け付けた場合に、出力対象の画像をプリンタに実寸で印刷させる。これにより、例えば、操作者は、煩雑な操作を行うことなく、実寸で印刷された出力対象の画像を取得することが可能になる。この結果、操作者は、人工弁の実物がなくても、人工弁のＣＡＤ（Computer-Aided  Design）データ等の正確なサイズ情報から人工弁を実寸印刷することで人工弁の画像の印刷物を得ることが可能になる。そして、操作者は、人工弁の画像の印刷物を見ながら、ディスプレイ１０３に実寸表示されている僧帽弁が描出された超音波画像で手術のシミュレーションを行うことが可能となる。
【０１３１】
また、胎児の超音波画像を実寸印刷することで、例えば胎児の母親に実寸大の胎児の画像を印刷して記念品として提供することが可能となる。一例をあげると、胎児の母親へのサービスで胎児の顔をプリントする場合に、実寸で胎児の顔を印刷することで、胎児の母親の満足度を上げることが可能になる。
【０１３２】
（その他の実施形態）
実施形態は、上述した実施形態に限られるものではない。
【０１３３】
例えば、上述した第１の実施形態から第４の実施形態に記載した内容を適宜組み合わせてもよい。例えば、制御機能１８１は、少なくとも、超音波走査時のモード切り替え指示、過去画像の表示の受け付け、及び、モニタに表示中の出力対象の画像における関心領域の設定のいずれか１つをトリガーとし、出力対象の画像をモニタに実寸で表示させる。
【０１３４】
ここで、例えば、制御機能１８１は、超音波走査時のモード切り替え指示をトリガーとする場合、少なくとも、穿刺針を装着可能な超音波プローブの接続、穿刺用アプリケーションの選択、計測用アプリケーションの選択、出力対象の画像を拡大又は縮小して表示する指示の受け付け、及び、超音波走査時に操作者によって参照される参照画像を表示する指示のいずれか１つをトリガーとする。また、制御機能１８１は、超音波走査時に操作者によって参照される参照画像を表示する指示をトリガーとする場合、少なくとも、教材画像を参照画像として表示する指示、及び、他の医用画像診断装置により生成された画像を参照画像として表示する指示のいずれか１つをトリガーとする。
【０１３５】
また、例えば、制御機能１８１は、過去画像の表示の受け付けをトリガーとする場合、少なくとも、術前シミュレーション時における過去画像を表示する指示、及び、過去画像として週令の異なる胎児の画像データを表示する指示のいずれか１つをトリガーとする。
【０１３６】
上記説明において用いた「プロセッサ」という文言は、例えば、ＣＰＵ（Central  Processing  Unit）、ＧＰＵ(Graphics  Processing  Unit)、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１における複数の構成要素を１つのプロセッサへ統合してその機能を実現するようにしてもよい。
【０１３７】
上記の実施形態の説明において、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況等に応じて、任意の単位で機能的又は物理的に分散・統合して構成することができる。さらに、各装置にて行なわれる各処理機能は、その全部または任意の一部が、ＣＰＵおよび当該ＣＰＵにて解析実行されるプログラムにて実現され、或いは、ワイヤードロジックによるハードウェアとして実現され得る。
【０１３８】
また、上記の実施形態で説明した画像処理方法は、予め用意された画像処理プログラムをパーソナルコンピュータやワークステーション等のコンピュータで実行することによって実現することができる。この画像処理プログラムは、インターネット等のネットワークを介して配布することができる。また、この画像処理プログラムは、ハードディスク、フレキシブルディスク（ＦＤ）、ＣＤ−ＲＯＭ、ＭＯ、ＤＶＤ等のコンピュータで読み取り可能な記録媒体に記録され、コンピュータによって記録媒体から読み出されることによって実行することもできる。
【０１３９】
以上説明した少なくとも一つの実施形態によれば、操作性を向上することができる。
【０１４０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１４１】
１      超音波診断装置
１００      装置本体
１８０      処理回路
１８１      制御機能
【図１】
2019062996.tif 000003
【図２】
2019062996.tif 000004
【図３】
2019062996.tif 000005
【図４】
2019062996.tif 000006
【図５】
2019062996.tif 000007
【図６】
2019062996.tif 000008
【図７】
2019062996.tif 000009
【図８】
2019062996.tif 000010
【図９】
2019062996.tif 000011
【図１０】
2019062996.tif 000012
【図１１】
2019062996.tif 000013
【図１２】
2019062996.tif 000014
【図１３】
2019062996.tif 000015
【図１４】
2019062996.tif 000016
【図１５】
2019062996.tif 000017
【図１６】
2019062996.tif 000018
【図１７】
2019062996.tif 000019
【図１８】
2019062996.tif 000020
【図１９】
2019062996.tif 000021
【図２０】
2019062996.tif 000022